(57)【要約】【課題】被検者の動きが複雑で、被検者向きが常に変化するような場合にも、計測器から安定して生体情報を取得して、生体情報をモニタできるようにすること。【解決手段】所定領域内で運動している被検者４の体表面の所定の箇所に装着され、上記被検者の生体情報を検出するためのセンサを含み、該センサの検出データに基づくセンシング信号を無線出力するセンサユニット２と、上記被検者４に装着された無指向性送受信アンテナ３１を含み、上記無指向性送受信アンテナを用いて上記センサユニットから無線出力されたセンシング信号を受信し、それを増幅して、上記無指向性送受信アンテナを用いて無線送信する無線中継器３と、上記所定領域外に設けられ、上記無線中継器から無線送信されたセンシング信号を受信して、そのセンシング信号に基づいて上記被検者の運動時における状態の判定を行うセンタ装置１とで、生体情報モニタシステムを構成する。【選択図】      図１
2007143959.tif 000002
【特許請求の範囲】
【請求項１】
被検者の体表面の所定の箇所に装着され、上記被検者の生体情報を検出するためのセンサを含み、該センサの検出データに基づくセンシング信号を無線出力するセンサユニットと、
上記被検者に装着された無指向性アンテナを含み、上記無指向性アンテナを用いて上記センサユニットから無線出力されたセンシング信号を受信し、それを増幅して、上記無指向性アンテナを用いて無線送信する無線中継器と、
所定の領域に設けられた、上記無線中継器から無線送信されたセンシング信号を受信して、そのセンシング信号に基づいて上記被検者の運動時における状態の判定を行うセンタ装置と、
を具備することを特徴とする生体情報モニタシステム。
【請求項２】
上記無線中継器は、上記被検者の肩或いは頭部に装着されることを特徴とする請求項１に記載の生体情報モニタシステム。
【請求項３】
複数の無線中継器が、上記被検者の複数の位置に装着されることを特徴とする請求項１に記載の生体情報モニタシステム。
【請求項４】
上記無線中継器は、上記被検者の胸と背に装着されることを特徴とする請求項３に記載の生体情報モニタシステム。
【請求項５】
上記センタ装置は、上記センサユニットを制御するための制御信号を無線送信し、
上記無線中継器は、上記無指向性アンテナを用いて上記センタ装置からの上記制御信号を受信し、それを増幅して、上記無指向性アンテナを用いて上記センサユニットに無線送信し、
上記センサユニットは、上記無線中継器から無線送信された上記制御信号を受信して、その制御信号に従って動作する、
ことを特徴とする請求項１乃至４の何れかに記載の生体情報モニタシステム。
【請求項６】
上記無線中継器の無指向性アンテナは、ホイップアンテナであることを特徴とする請求項１乃至５の何れかに記載の生体情報モニタシステム。
【発明の詳細な説明】
【技術分野】
【０００１】
本発明は、被検者の心電図や体温等の生体情報をモニタする生体情報モニタシステムに関する。
【背景技術】
【０００２】
特許文献１には、被検者の生体情報を検出する計測器（生体情報測定器及び中継器）を、例えば被検者の首にかける、手首に巻く、腰のベルトに付ける、胸のポケットに入れる等、被検者に装着ないしは携帯させ、家庭内で計測された生体情報を中継器（端末装置）を介して公衆回線などで外部管理部門へ送信する生体情報管理システムが開示されている。
【特許文献１】特開２００２−４５３３８号公報
【発明の開示】
【発明が解決しようとする課題】
【０００３】
上記特許文献１に開示されている生体情報管理システムでは、中継器である端末装置は室内などに固定され、中継器で受信される範囲内に被検者がおり、生体情報が計測、送信される。
【０００４】
従って、このような中継器を用いたシステムでは、例えばグランド内で様々な行動（回転、転倒、等）を行うスポーツ選手等の被検者の生体情報を取得するには、被検者の動きが複雑であり、被検者の中継器に対する向きが常に変化するため、計測器から安定して生体情報を取得できない。
【０００５】
本発明は、上記の点に鑑みてなされたもので、被検者の動きが複雑で、被検者向きが常に変化するような場合にも、計測器から安定して生体情報を取得して、生体情報をモニタすることが可能な生体情報モニタシステムを提供することを目的とする。
【課題を解決するための手段】
【０００６】
本発明の生体情報モニタシステムの第１の態様は、被検者の体表面の所定の箇所に装着され、上記被検者の生体情報を検出するためのセンサを含み、該センサの検出データに基づくセンシング信号を無線出力するセンサユニットと、上記被検者に装着された無指向性アンテナを含み、上記無指向性アンテナを用いて上記センサユニットから無線出力されたセンシング信号を受信し、それを増幅して、上記無指向性アンテナを用いて無線送信する無線中継器と、所定の領域に設けられた、上記無線中継器から無線送信されたセンシング信号を受信して、そのセンシング信号に基づいて上記被検者の運動時における状態の判定を行うセンタ装置と、を具備することを特徴とする。
【０００７】
本発明の生体情報モニタシステムの第２の態様は、上記第１の態様による生体情報モニタシステムにおいて、上記無線中継器は、上記被検者の肩或いは頭部に装着されることを特徴とする。
【０００８】
本発明の生体情報モニタシステムの第３の態様は、上記第１の態様による生体情報モニタシステムにおいて、複数の無線中継器が、上記被検者の複数の位置に装着されることを特徴とする。
【０００９】
本発明の生体情報モニタシステムの第４の態様は、上記第３の態様による生体情報モニタシステムにおいて、上記無線中継器は、上記被検者の胸と背に装着されることを特徴とする。
【００１０】
本発明の生体情報モニタシステムの第５の態様は、上記第１乃至４の何れかの態様による生体情報モニタシステムにおいて、上記センタ装置は、上記センサユニットを制御するための制御信号を無線送信し、上記無線中継器は、上記無指向性アンテナを用いて上記センタ装置からの上記制御信号を受信し、それを増幅して、上記無指向性アンテナを用いて上記センサユニットに無線送信し、上記センサユニットは、上記無線中継器から無線送信された上記制御信号を受信して、その制御信号に従って動作する、ことを特徴とする。
【００１１】
本発明の生体情報モニタシステムの第６の態様は、上記第１乃至第５の何れかの態様による生体情報モニタシステムにおいて、上記無線中継器の無指向性アンテナは、ホイップアンテナであることを特徴とする。
【発明の効果】
【００１２】
本発明によれば、被検者の動きが複雑で、被検者の向きが常に変化するような場合にも、計測器から安定して生体情報を取得して、生体情報をモニタすることが可能な生体情報モニタシステムを提供することができる。
【発明を実施するための最良の形態】
【００１３】
以下、本発明を実施するための最良の形態を図面を参照して説明する。
【００１４】
［第１実施形態］
図１は、本発明の第１実施形態にかかる生体情報モニタシステムの構成を示す図である。本実施形態は、スタジアムやグラウンド等の所定の領域内で運動する被検者の生体情報をモニタし、被検者の運動時における状態の判定するものである。
【００１５】
この生体情報モニタシステムは、センタ装置１と、センサユニット２と、無線中継器３とから構成される。
【００１６】
ここで、センタ装置１は、例えば、スタジアムの救護室や病院等の医療施設などに設置されるものである。
【００１７】
また、センサユニット２はモジュール化されており、図２（Ａ）に示すように、モニタ対象としての被検者４の体表面の所定の箇所（ここでは胸）に装着される。装着の一例としてここではアクリル系の両面接着テープ等により接着貼付される。アクリル系両面接着テープは、被検者４の皮膚にかぶれ等の炎症が起きにくい、センサユニット２を被検者４から剥がした時にセンサユニット２や被検者４の表面に接着のりが付着しにくい、接着層を薄くできるなどの利点を有する。
【００１８】
無線中継器３は、上記センサユニット２と同様に、監視対象としての被検者４の衣服の上などの所定の箇所（ここでは、肩部）に装着される。この無線中継器３は、上記センタ装置１と上記センサユニット２との間を、無線ネットワーク５１，５２を介して無線中継するものである。即ち、上記センサユニット２は、上述したように、被検者４の胸に装着されるようになっているため、センシング信号を超微弱出力で送信することが望ましく、また、体の向きによっては、被検者４の体によって無線信号が遮られてしまうため、遠隔のセンタ装置１へセンシング信号を到達させることができない。そこで、本実施形態では、この無線中継器３によって、上記センサユニット２から超微弱出力で無線送信されたセンシング信号を無線ネットワーク５２を介して受信し、より大きな出力でそれを無線ネットワーク５１を介して上記センタ装置１へ無線送信するものである。
【００１９】
なおここで、無線中継器３とセンタ装置１との間の無線ネットワーク５１としては、例えばBlueTooth（登録商標）等の近距離データ通信システムや、無線ＬＡＮ（Local Area Network）、ＰＨＳ（Personal Handyphone System）（登録商標）、携帯電話システム等が使用される。また、無線中継器３とセンサユニット２との間の無線ネットワーク５２としては、例えばBlueTooth（登録商標）等の微弱電力型の無線通信方式が使用される。勿論、上記無線ネットワーク５１と同様の方式であっても、超微弱出力で通信を行えば使用可能である。
【００２０】
以下、図１を参照して、各部の詳細を説明する。
【００２１】
上記センタ装置１は、アンテナ部１１と、信号分配部１２と、受信部１３と、送信部１４と、センサデータ収集処理部１５と、センサ制御部１６とから構成される。
【００２２】
ここで、アンテナ部１１は、センサ制御部１６で生成された制御信号を送信する送信アンテナ機能と、無線中継器３を中継したセンサユニット２からのセンシング信号を受信する受信アンテナ機能とを有し、この機能の切り替えはアンテナ部１１に接続されたサーキュレータ等の信号分配部１２により行われる。
【００２３】
受信部１３は、センサユニット２から無線中継器３、アンテナ部１１を介して送信された無線信号を受信したのち復調し、この復調により得られるセンシング信号をセンサデータ収集処理部１５へ出力する。送信部１４は、センサ制御部１６から出力された制御信号を変調したのち無線信号に変換し、この無線信号をアンテナ部１１から中継器つまりはセンサユニット２に向けて送信する。
【００２４】
センサデータ収集処理部１５は、受信したセンシング信号に対して所定の演算を行って被検者４の状態、例えば心電図の異常を判定する部分である。どのような演算を行うかは監視目的により異なるものである。
【００２５】
センサ制御部１６は、例えばＣＰＵ（Central Processing Unit）やＤＳＰ（Digital Signal Processor）を備えたもので、センサユニット２によるセンシング開始やセンシング周期に関する指令を含む制御信号を出力する。
【００２６】
一方、センサユニット２は、図２（Ａ）に示すように、アンテナ部２１と、センサ信号送受信部２２と、センサ駆動制御部２３と、センサ本体２４と、バッテリ２５とを備えている。
【００２７】
ここで、センサ本体２４は、例えば、図３に示すように、被検者４の心電図データを取得する心電図センサ２４１、被検者４の左右方向の動きを検出する加速度センサ２４２、及び被検者４の表皮温度を検出する温度センサ２４３から構成される。勿論、どのようなセンサを備えるかは、被検者４のどのような状態を監視するかという監視目的により決定されるものであり、このような心電図センサ２４１、加速度センサ２４２、温度センサ２４３に限定されるものではない。
【００２８】
なお、上記心電図センサ２４１には、図示しないケーブルを介して２個の電極からなる電極クリップ６が接続されている。この電極クリップ６は、被検者４に密着された電極パッドの凸部を挟むことで導通がとれて、心電図センサ２４１による検出が可能になるものである。電極パッドの裏面、すなわち被検者４の皮膚に接する面には導電性の粘着テープが貼り付けられており、電極パッドを被検者４に装着することにより、導電性の粘着テープを介して心電図データが取得できるようになっている。
【００２９】
一方、センサ駆動制御部２３は、図３に示すように、ＣＰＵ（中央処理装置）２３１と、記憶部２３２と、制御部用水晶発振器２３３と、ＡＤ変換部２３４，２３５，２３６と、ＳＰＩ（サーバ・プログラミング・インターフェース）２３７とを備えている。
【００３０】
制御部用水晶発振器２３３は、ＣＰＵ２３１のクロック制御信号に基づいて所定周期のクロック信号を発生する。記憶部２３２は、ＣＰＵ２３１により実行されるプログラムを記憶している。ＣＰＵ２３１は、センサ本体２４の心電図センサ２４１、加速度センサ２４２及び温度センサ２４３を始めとして、図２（Ａ）のセンサ信号送受信部２２を駆動制御するもので、上述したセンタ装置１から送られてくるセンシング開始や終了、その他の指令の内容を図示せぬメモリに記憶する。そして、以後この保存された指令と記憶部２３２に記憶された設定データに基づいてクロック制御信号を生成して制御部用水晶発振器２３３に出力する。このクロック制御信号に基づいて制御部用水晶発振器２３３より発生されるクロック信号により、駆動信号として、センシング開始や終了等に関する信号を生成する。
【００３１】
ＣＰＵ２３１は、心電図センサ２４１を駆動するための心電図センサ制御信号を当該心電図センサ２４１に出力する。心電図センサ制御信号は、心電図センサ２４１の計測の開始時刻、終了時刻などの指令の他に、図示しない可変帯域通過フィルタの帯域を決める帯域信号、図示しない可変利得増幅器の利得を決める利得信号、通常計測時におけるセンシング信号の取得と、基線波形計測時におけるセンシング信号の取得とを切り替えるための切り替え信号がある。
【００３２】
ＡＤ変換部２３４は、心電図センサ２４１からの検出データをデジタル信号に変換するもので、ＣＰＵ２３１よりＳＰＩ２３７を介してセンシング信号として出力する。
【００３３】
ＡＤ変換部２３５は、ＣＰＵ２３１からのスタンバイ信号により駆動される加速度センサ２４２の検出データである加速度データをデジタル信号に変換するもので、この変換された加速度データはＣＰＵ２３１よりＳＰＩ２３７を介してセンシング信号として出力される。同様に、ＡＤ変換部２３６は、温度センサ２４３の検出データである温度データをデジタル信号に変換するもので、この変換された温度データはＣＰＵ２３１よりＳＰＩ２３７を介してセンシング信号として出力される。なお、加速度センサ２４２は、ＣＰＵ２３１から当該センサ２４２に供給されるスタンバイ信号が“Ｈ”レベルになるとセンシングを行う動作状態となり、“Ｌ”レベルになると非動作状態、つまり電力消費量の少ないスタンバイ状態となる。その周期は、上述したようにセンタ装置１から送られてくる指令に基づくものである。また、例えば、被検者４が実際の運動を開始するまでの間、不必要な電力消費を抑制したり、センタ装置１での異常状態と判別することがないよう、加速度センサ２４２をスタンバイ状態にするよう、センタ装置１から指令する。
【００３４】
バッテリ２５は、例えばボタン型リチウム電池からなるもので、このバッテリ２５から発生するＤＣ電圧を、センサ本体２４、センサ駆動制御部２３、センサ信号送受信部２２に駆動電源として供給するようになっている。
【００３５】
また、センサ信号送信部２２は、図４に示すように、送信部の構成として、ＳＰＩ２２０１と、デジタル信号制御部２２０２と、信号変調部２２０３と、混合部２２０４と、電力増幅部２２０５とを備えるとともに、受信部の構成として、低雑音増幅部２２０７と、混合部２２０８と、信号復調部２２０９と、デジタル信号制御部２２１０と、ＳＰＩ２２１１とを備えている。センサ信号送受信部２２はさらに、送受信部用水晶発振器２２１２の出力を位相安定化回路２２１３を介して受けて所定の周波数信号を生成する電圧制御型発振器２２１４を備える。
【００３６】
即ち、このセンサ信号送信部２２においては、上記センサ駆動制御部２３からのセンシング信号をＳＰＩ２２０１を介してデジタル信号制御部２２０２に取り込む。さらに信号変調部２２０３でデジタル変調、例えばＱＰＳＫ（Quadrature Phase Shift Keying）変調し、混合部２２０４で電圧制御型発振器２２１４の出力と混合することで所定のフォーマットに変換してセンシングデータを作成し、この作成されたセンシングデータを電力増幅部２２０５で電力増幅し、送受信信号分配部２２０６よりアンテナ部２１を介して、無線中継器３に向け送信させる。
【００３７】
また、このセンサ信号送受信部２２は、上記センタ装置１から送られ無線中継器３で中継された無線信号をアンテナ部２１で受信すると、それを送受信信号分配部２２０６、低雑音増幅部２２０７を介して混合部２２０８に取り込む。ここで無線信号を電圧制御形発振器２３６の出力と混合した所定周波数に変換した後、信号復調部２２０９でデジタル復調し、このデジタル復調により得られた制御信号をデジタル信号制御部２２１０よりＳＰＩ２２１１を介してセンサ駆動制御部２３に供給する。
【００３８】
以上のような構成のセンタ装置１とセンサユニット２の間を中継する無線中継器３は、図２（Ａ）に示すように、無指向性送受信アンテナ３１と送受信部３２とから構成されている。ここで、送受信部３２は、無線ネットワーク５２より無指向性送受信アンテナ３１で受信したセンサユニット２からのセンシング信号を増幅して、無指向性送受信アンテナ３１から無線ネットワーク５１によりセンタ装置１へ無線送信する。この場合、無線中継器３は、上記センサユニット２と当該無線中継器３との間（アップリンク）と、当該無線中継器３と上記センタ装置１との間（ダウンリンク）との間で、送信タイミングを変えることで、混信を防止する。また、複数の被検者が存在する場合には、ダウンリンクのタイミングを各被検者で分配するために、更にダウンリンク時間を時分割することが必要なのは言うまでもない。同様に、複数の被検者が存在する場合には、近接する他の被検者のセンシング信号を拾うことがないように、アップリンクに関しても、アップリンク時間を各被検者で更に分配する必要がある。
【００３９】
また、無線中継器３は、無線ネットワーク５１より無指向性送受信アンテナ３１で受信したセンタ装置１からの上記制御信号を増幅して、無指向性送受信アンテナ３１から無線ネットワーク５２によりセンサユニット２へ無線送信する機能も備えている。
【００４０】
なお、特に図示はしていないが、この送受信部３２は、電源として例えばボタン型リチウム電池等のバッテリを有している。あるいは、バッテリの代わりに、無指向性送受信アンテナ３１で受信した無線信号から電力を発生する回路を備えていても良い。
【００４１】
また、無指向性送受信アンテナ３１は、図２（Ｂ）に示すように、全周方向にほぼ等しい放射電力の指向性を有するものであり、例えば図１に示すように被検者４の肩に該無線中継器３が装着された場合、被検者４がどちらの方向を向いても、センタ装置１との間及びセンサユニット２との間で良好な無線通信が可能となる。このような無指向性送受信アンテナ３１としては、例えば、図２（Ｃ）に示すような、λ／４のホイップアンテナが良く知られており、その基台部に上記送受信部３２を配して、小型の無線中継器３を構成することができる。また、指向性を持ったアンテナを、図２（Ｄ）に示すようにある程度の伸縮性を持ってリング状に形成することで無指向性送受信アンテナ３１を構成することも可能である。この場合、このリング部を被検者４の腰回りに装着することで、無指向性送受信アンテナ３１が被検者４の腰回りのほぼ全周にわたって配置されるため、被検者４の姿勢、状態に拘わらず、センタ装置１との間及びセンサユニット２との間で良好な無線通信が可能となる。
【００４２】
図５は、センタ装置１において、特にセンサデータ収集処理部１５の構成を示す図であり、センシングデータ記憶部１５１と、心電図データ判定部１５２と、加速度センサデータ判定部１５３と、体表面温度判定部１５４と、被検者状況判定部１５５とを備える。
【００４３】
センタ装置１の受信部１３は、上述したように、センサユニット２から無線中継器３、アンテナ部１１を介して送信された無線信号を受信したのち復調し、この復調により得られるセンシング信号をセンサデータ収集処理部１５へ出力する。このセンサデータ収集処理部１５では、そのセンシング信号をセンシングデータ記憶部１５１にいったん記憶する。
【００４４】
そして、心電図データ判定部１５２では、そのセンサデータ収集処理部１５に記憶されたセンシング信号の内、上記心電図センサ２４１で測定された心電図データに基づいて、心電図の異常を判定する。また、加速度センサデータ判定部１５３では、上記センサデータ収集処理部１５に記憶されたセンシング信号の内、上記加速度センサ２４２で測定された加速度データに基づいて、被検者４の運動の方向や、転倒等を判定する。更に、体表面温度判定部１５４では、上記センサデータ収集処理部１５に記憶されたセンシング信号の内、上記温度センサ２４３で測定された温度データに基づいて、被検者４の体表面温度を判定する。被検者状況判定部１５５は、上記心電図データ判定部１５２により被検者４の心電図が異常であると判断されたときの当該被検者４の身体の動き及び体温の状態を上記加速度センサデータ判定部１５３及び体表面温度判定部１５４の出力により把握することで、被検者４の状態、例えば正常か異常かを判定することができる。
【００４５】
以上説明したような本発明の第１実施形態によれば、グラウンドで運動する被検者４に装着された心電図センサ２４１、加速度センサ２４２、及び温度センサ２４３を含むセンサユニット２と、上記各センサからの取得データを分析するセンタ装置１（グラウンド外に設置）との間に、被検者４に装着された無指向性送受信アンテナ３１を有する無線中継器３を用いることで、グラウンドで運動する被検者４が、方向を変え、走り回り、更に回転、転倒などの運動し或いは事故に遭っている間の、心電図、体温などの生体情報と、その時の身体の動きの情報を安定して取得することができる。
【００４６】
特に、無線中継器３は、無指向性送受信アンテナ３１を有するので、グラウンドで運動する被検者４がどんな方向を向いても安定に、センサユニット２からのセンシング信号の中継ができる。
【００４７】
［第２実施形態］
図６は、本発明の第２実施形態の構成を示す図である。
【００４８】
上記第１実施形態では、無線中継器３を被検者４の肩部等の一箇所に装着するものであったが、本第２実施形態では、複数の無線中継器３−１，３−２を用いるものである。
【００４９】
ここで、無線中継器３−１及び３−２は、それぞれ、上記第１実施形態で説明したような無線中継器３と同等のものである。即ち、無線中継器３−１は、上記無指向性送受信アンテナ３１と同様の無指向性送受信アンテナ３１−１と、上記送受信部３２と同様の送受信部３２−１を備える。同様に、無線中継器３−２は、無指向性送受信アンテナ３１−２及び送受信部３２−２を備える。
【００５０】
このような構成の複数の無線中継器３−１，３−２は、被検者４の複数箇所、例えば胸と背に装着される。
【００５１】
本実施形態に係る生体情報モニタシステムでは、センサユニット２から送出されるセンシングデータは、無線中継器３−１或いは３−２を介してセンタ装置１へ送られる。この場合、無線中継器３−１或いは３−２からセンタ装置１へ送出されるセンシングデータの内、センタ装置１では受信電力の強い方の無線中継器からの無線信号が受信される。同様に、センタ装置１から送出される制御信号は、無線中継器３−１及び３−２を介してセンサユニット２へ送られる。この場合、無線中継器３−１或いは３−２からセンサユニット２へ送出される制御信号の内、センサユニット２では受信電力の強い方の無線中継器からの無線信号が受信される。
【００５２】
このような構成によれば、複数の無線中継器３−１，３−２を使用するので、被検者の動きが複雑で、被検者の向きが常に変化するような場合にも、センサユニット２からより安定して生体情報を取得して、生体情報をモニタすることが可能となる。
【００５３】
［第３実施形態］
図７は、本発明の第３実施形態の構成を示す図である。
【００５４】
上記第１実施形態では、被検者４に１個のセンサユニット２を装着するものであったが、本第３実施形態では、複数のセンサユニット２−１，２−２を被検者４に装着するものである。
【００５５】
ここで、センサユニット２−１及び２−２は、それぞれ、上記第１実施形態で説明したようなセンサユニット２と同等のものである。即ち、センサユニット２−１は、上記アンテナ部２１と同様のアンテナ部２１−１、上記センサ信号送受信部２２と同様のセンサ信号送受信部２２−１、上記センサ駆動制御部２３と同様のセンサ駆動制御部２３−１、上記センサ本体２４と同様のセンサ本体２４−１、及び上記バッテリ２５と同様のバッテリ２５−１を備える。同様に、センサユニット２−２は、アンテナ部２１−１、センサ信号送受信部２２−２、センサ駆動制御部２３−２、センサ本体２４−２、及びバッテリ２５−２を備える。
【００５６】
本実施形態に係る生体情報モニタシステムでは、センサユニット２−１及び２−２から送出されるそれぞれのセンシングデータは、無線中継器３を介してセンタ装置１へ送られる。この場合、センサユニット２−１及び２−２から無線中継器３へ送出されるセンシングデータは、２箇所のセンシングデータとして無線中継器３で中継され、センタ装置１へ送出される。また、制御信号はセンタ装置１から送出され、無線中継器３を介してセンサユニット２−１及び２−２へ送られる。
【００５７】
［第４実施形態］
図８は、本発明の第４実施形態の構成を示す図である。
【００５８】
上記第１実施形態では、センタ装置１からセンサユニット２への制御信号を無線中継器３で中継していたが、本第４実施形態は、上記制御信号の送信は行わず、センサユニット２に予め設定（プリセット）しておくようにしたものである。
【００５９】
従ってこの場合には、図８に示すように、アンテナ部２１からセンサ信号送信部２２、該センサ信号送信部２２からセンサ駆動制御部２３、該センサ駆動制御部２３からセンサ本体２４へと信号を伝達する経路は不要となる。
【００６０】
よって、センサユニット２の構成が簡単になり、より小型化を図ることができる。また、センタ装置１からセンサユニット２への制御信号の伝送に使用していた時間が不要となり、より多数の被検者４の状態をモニタするのに好適となる。
【００６１】
［第５実施形態］
図９は、本発明の第５実施形態の構成を示す図である。
【００６２】
上記第１実施形態では、上記センサユニット２と当該無線中継器３との間（アップリンク）と、当該無線中継器３と上記センタ装置１との間（ダウンリンク）との間で、送信タイミングを変えることで、混信を防止するようにしていたが、本第５実施形態は、そのような時分割で混信を防止するのではなく、個々の通信に異なる周波数を用いることで混信を防止するものである。
【００６３】
そのため、無線中継器３は、図９に示すように、無指向性送受信アンテナ３１Ａと送受信部３２Ａと、無指向性送受信アンテナ３１Ｂと送受信部３２Ｂとの、２組のアンテナ及び送受信部を備えると共に、送受信部３２Ａと送受信部３２Ｂとの間に、周波数を変換するための周波数変換部３３を設けているものである。即ち、センタ装置１と無線中継器３の間の無線通信を周波数ｆ１、センサユニット２と無線中継器３の間の無線通信を周波数ｆ２で行うとすると、ｆ１とｆ２の周波数の変換を周波数変換部３３で行うものである。つまり、センサユニット２から送出されるセンシングデータは、周波数変換部３３で周波数ｆ２からｆ１に変換され、無線中継器３からセンタ装置１へ送出される。また、センタ装置１から送出される制御信号は、周波数変換部３３で周波数ｆ１からｆ２に変換され、無線中継器３からセンサユニット２へ送出される。
【００６４】
このように、異なる周波数を用いることで、上記第１実施形態と同様の効果を奏することができる。
【００６５】
以上実施形態に基づいて本発明を説明したが、本発明は上述した実施形態に限定されるものではなく、本発明の要旨の範囲内で種々の変形や応用が可能なことは勿論である。
【００６６】
例えば、センタ装置１及びセンサユニット２の構成は、上記の実施形態に限定するものではない。
【００６７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００６８】
【図１】図１は本発明の第１実施形態にかかる生体情報モニタシステムの構成を示す図である。
【図２】図２（Ａ）はセンサユニット及び無線中継器の構成を示す図、図２（Ｂ）は無指向性送受信アンテナの無指向性を示す線図、図２（Ｃ）及び（Ｄ）はそれぞれ無線中継器の形状例を示す図である。
【図３】図３はセンサユニットにおけるセンサ本体とセンサ駆動制御部の概略構成を示す図である。
【図４】図４はセンサユニットにおけるセンサ信号送信部の概略構成を示す図である。
【図５】図５はセンタ装置の構成を示す図である。
【図６】図６は本発明の第２実施形態の構成を示す図である。
【図７】図７は本発明の第３実施形態の構成を示す図である。
【図８】図８は本発明の第４実施形態におけるセンサユニットの構成を示す図である。
【図９】図９は本発明の第５実施形態における無線中継器の構成を示す図である。
【符号の説明】
【００６９】
１…センタ装置、  ２，２−１，２−１…センサユニット、  ３，３−１，３−２…無線中継器、  ４…被検者、  ６，６−１，６−２…電極クリップ、  １１…アンテナ部、  １２…信号分配部、  １３…受信部、  １４…送信部、  １５…センサデータ収集処理部、  １６…センサ制御部、  ２１，２１−１，２１−２…アンテナ部、  ２２，２２−１，２２−２…センサ信号送受信部、  ２３，２３−１，２３−２…センサ駆動制御部、  ２４，２４−１，２−２…センサ本体、  ２５，２５−１，２５−２…バッテリ、  ３１，３１Ａ，３１Ｂ，３１−１，３１−２…無指向性送受信アンテナ、  ３２，３２Ａ，３２Ｂ，３２−１，３２−２…送受信部、  ３３…周波数変換部、  ５１，５２…無線ネットワーク、  １５１…センシングデータ記憶部、  １５２…心電図データ判定部、  １５３…加速度センサデータ判定部、  １５４…体表面温度判定部、  １５５…被検者状況判定部、  ２３１…ＣＰＵ（中央処理装置）、  ２３２…記憶部、  ２３３…制御部用水晶発振器、  ２３４，２３５，２３６…ＡＤ変換部、  ２３６…電圧制御形発振器、  ２３７，２２０１，２２１１…ＳＰＩ（サーバ・プログラミング・インターフェース）、  ２４１…心電図センサ、  ２４２…加速度センサ、  ２４３…温度センサ、  ２２０２，２２１０…デジタル信号制御部、  ２２０３…信号変調部、  ２２０４，２２０８…混合部、  ２２０５…電力増幅部、  ２２０６…送受信信号分配部、  ２２０７…低雑音増幅部、  ２２０９…信号復調部、  ２２１２…送受信部用水晶発振器、  ２２１３…位相安定化回路、  ２２１４…電圧制御型発振器。
【図１】
2007143959.tif 000003
【図２】
2007143959.tif 000004
【図３】
2007143959.tif 000005
【図４】
2007143959.tif 000006
【図５】
2007143959.tif 000007
【図６】
2007143959.tif 000008
【図７】
2007143959.tif 000009
【図８】
2007143959.tif 000010
【図９】
2007143959.tif 000011